(57)【要約】【課題】飲料サーバー用の抽出栓の不用意な操作の防止と通常操作の簡便性とを両立させるとともに、不用意な操作の防止性能を長期に維持する。【解決手段】第１つまみ３と第２つまみ４を接合させたときに飲料タンクからの抽出経路を閉状態から開状態に操作可能とした飲料サーバー用の抽出栓において、第１つまみ３と第２つまみ４の各接合面に、互いに同磁極が対向するよう磁石３２、４２を取り付け、これら磁石の反発力により接合状態での固着を防ぐ。【選択図】図３
2009091010.tif 000002
【特許請求の範囲】
【請求項１】
第１つまみと第２つまみを接合させたときに飲料タンクからの抽出経路を閉状態から開状態に操作可能とした飲料サーバー用の抽出栓において、
前記第１つまみと前記第２つまみの各接合面に、互いに同磁極が対向するよう磁石を取り付けたことを特徴とする、飲料サーバー用の抽出栓。
【発明の詳細な説明】
【技術分野】
【０００１】
本発明は、飲料タンクから飲料を供給する飲料サーバー用の抽出栓に関する。
【背景技術】
【０００２】
飲料タンクからの抽出経路を閉状態から開状態としたときに、飲料が重力により抽出されるよう構成した飲料サーバー用の抽出栓が知られている。このような抽出栓では、不用意な操作により誤って飲料が漏れ出ることのないよう、安全装置を設けることが望ましい。しかし、不用意な操作の防止を重視するあまり通常の操作が煩雑になってしまうのは好ましいことではない。
【発明の開示】
【発明が解決しようとする課題】
【０００３】
不用意な操作の防止と通常操作の簡便性とを両立させた構成においても、経年使用により材質が劣化するなどして、不用意な操作の防止と通常操作の簡便性の何れかがやがては損なわれる。仮に不用意な操作の防止性能が損なわれれば、使用者の予期しない飲料抽出を生じ使用者を驚かせてしまうおそれがある。
【０００４】
本発明は、飲料サーバー用の抽出栓の不用意な操作の防止と通常操作の簡便性とを両立させるとともに、不用意な操作の防止性能を長期に維持することを目的とする。
【課題を解決するための手段】
【０００５】
上記目的を達成するため、本発明は、第１つまみと第２つまみを接合させたときに飲料タンクからの抽出経路を閉状態から開状態に操作可能とした飲料サーバー用の抽出栓において、前記第１つまみと前記第２つまみの各接合面に、互いに同磁極が対向するよう磁石を取り付けたことを特徴とする。
【０００６】
同磁極が対向するように磁石を取り付けたので、飲料の抽出時に第１つまみと第２つまみを接合させても、第１つまみと第２つまみとの間に反発力が働く。従って、手を離せば第１つまみと第２つまみの接合が解除されるので、不用意な操作による飲料漏出の防止性能が長期に維持される。
【発明を実施するための最良の形態】
【０００７】
次に、本発明の実施の形態について、図示の例に基づいて説明する。
【０００８】
＜１．抽出栓の構成＞
図１乃至図４は、本発明の実施形態に係る飲料サーバー用の抽出栓の構成を示すものである。これらの図に示す通り、飲料サーバー用の抽出栓は、抽出栓本体１、弁２、第１つまみ３、第２つまみ４を備えている。
【０００９】
抽出栓本体１は、これらの図では断面を示すことで内部の管路が示されている。抽出栓本体１は、タンクに対し一端が取り付けられる水平のタンク連通管１１、タンク連通管１１の他端に連通する垂直の弁収納管１２、弁収納管１２の下端に連通する垂直のノズル管１３を備えている。弁収納管１２の下端には弁座１４が形成され、この弁座１４に弁２の下端が押し付けられると、タンク連通管１１からノズル管１３への飲料流出が遮断される。
【００１０】
弁２は、弁体２１と、弁体２１に固定された弁棒２２と、弁棒２２の周りに圧縮状態で配置されたスプリング２３を備えている。弁体２１と弁棒２２は、それぞれの外径に合わせて形成された弁収納管１２内を垂直方向に上下動可能となっており、スプリング２３によって弁体２１の上面を下方に押圧されて弁体２１の下端が抽出栓本体１の弁座１４に押し付けられるようになっている。また弁棒２２の上端には、第１つまみ３を支持する第１つまみ支軸２３が設けられている。
【００１１】
第１つまみ３は、弁２の第１つまみ支軸２３を中心に揺動可能とされており（図１の矢印Ａ方向）、ストッパー部３１が抽出栓本体１の弁収納管１２外壁に当たるとそれより下方（矢印Ａと反対の方向）への揺動は規制される。第１つまみ３には、第１つまみ支軸２３から離れた位置に、第２つまみ４を支持する第２つまみ支軸３４が設けられている。第２つまみ４との接合面には第１磁石３２（永久磁石）が設けられている。
【００１２】
第２つまみ４は、第１つまみ３の第２つまみ支軸３４を中心に揺動可能とされており、この揺動により第１つまみ３に対して接離可能となっている。第１つまみ３との接合面には、第２磁石４２（永久磁石）が、第１磁石３２と同磁極が対向するよう設けられている。また、第２つまみ支軸３４からみて第２磁石４２と反対側には押圧部４１（図３参照）が設けられているので、第２つまみ４の第２磁石４２側が第１つまみ３と接合するよう上に上がれば（図２の矢印Ｂ方向）、押圧部４１が下に下がるようになっている。この押圧部４１は、第１つまみ３が揺動する第１つまみ支軸２３よりも第１磁石３２側に位置しているので、第１つまみ３が第２つまみ４と接合したまま下方に揺動すれば（図３の矢印Ｃ方向）、押圧部４１が下に下がるようになっている。
【００１３】
＜２．抽出栓の作用＞
以上の構成において、第１つまみ３と第２つまみ４とが接合していない状態（図１及び図２）では、第１つまみ３や第２つまみ４を揺動させても、弁２はスプリング２３により弁座１４に押圧されたまま開かない。
【００１４】
第２つまみ４を上方に揺動させ第１つまみ３に接合させると（図３）、第２つまみ４の押圧部４１が抽出栓本体１の上面に当たる。第１つまみ３に第２つまみ４を接合させたまま下方に揺動させると（図４）、第２つまみ４の押圧部４１が抽出栓本体１の上面を下方に押圧しその反作用で第１つまみ支軸２３が上方に引っ張られる。これにより弁２がスプリング２４に抗して上方に移動し、タンク連通管１１とノズル管１３とが連通してタンク内の飲料がノズルから抽出される。
【００１５】
第２つまみ４が第１つまみ３から離れた場合は（図１）、押圧部４１による押圧が解除され弁２が元に戻る。第１つまみ３が上方に戻った場合は（図３）、第１つまみ支軸２３が下方に戻り弁２が元に戻る。その両方が起こった場合も（図２）弁２が元に戻り、何れの場合も飲料の抽出が遮断される。
【００１６】
このように、ノズル管１３からの飲料の抽出は、（ａ）第１つまみ３と第２つまみ４が接合されていること、（ｂ）第１つまみ３と第２つまみ４が接合された状態のまま、両方のつまみを下方に揺動させること、が必須条件となり、何れか１つでも解除されると飲料の抽出が遮断されるので、不用意な操作による飲料の漏出を防止することができる。
【００１７】
しかし、経年使用により例えば第２つまみ支軸３４やその軸受け部が変形したり、第２つまみ支軸３４やその周辺に飲料が付着し、水分が蒸発して滑りが悪くなったりして、第１つまみ３と第２つまみ４の接合が固着し又は解除されにくくなることがある。第１つまみ３と第２つまみ４の接合が解除されないと（図３の状態）、これらのつまみを不意に下方に押しただけで弁２が開き（図４の状態）、飲料が漏出するおそれがある。
【００１８】
そこで本発明の実施形態では、第１つまみ３と第２つまみ４の各接合面に、互いに同磁極が対向するよう磁石３２、４２を取り付けてある。これにより、第１つまみ３と第２つまみ４が接合されると反発力が働き、手を離せば自然に接合が解除される。従って、誤って弁２が開いて飲料が漏れ出ることを長期にわたって防止することができる。
【００１９】
なお磁石３２及び４２は、第１つまみ３及び第２つまみ４に粘着剤で貼り付けても良いし、第１つまみ３及び第２つまみ４に窪みを設けて埋め込んでも良い。
【００２０】
以上述べたように本発明に係る飲料サーバー用の抽出栓によれば、不用意な操作の防止と通常操作の簡便性とを両立させるとともに、不用意な操作の防止性能を長期に維持することができる。
【図面の簡単な説明】
【００２１】
【図１】本発明の実施形態に係る飲料サーバー用の抽出栓において、第１つまみ３と第２つまみ４とが接合していない状態を示す。
【図２】本発明の実施形態に係る飲料サーバー用の抽出栓において、第１つまみ３と第２つまみ４とが接合していない状態のまま第１つまみ３を上方に揺動させた状態を示す。
【図３】本発明の実施形態に係る飲料サーバー用の抽出栓において、第１つまみ３と第２つまみ４とを接合させた状態を示す。
【図４】本発明の実施形態に係る飲料サーバー用の抽出栓において、第１つまみ３と第２つまみ４とを接合させた状態のまま第１つまみ３を下方に揺動させた状態を示す。
【符号の説明】
【００２２】
１  抽出栓本体、１１  タンク連通管、１２  弁収納管、１３  ノズル管、１４  弁座、
２  弁、２１  弁体、２２  弁棒、２３  第１つまみ支軸、２４  スプリング、
３  第１つまみ、３１  ストッパー部、３２  第１磁石、３４  第２つまみ支軸、
４  第２つまみ、４１  押圧部、４２  第２磁石
【図１】
2009091010.tif 000003
【図２】
2009091010.tif 000004
【図３】
2009091010.tif 000005
【図４】
2009091010.tif 000006